(57)【要約】【課題】  水槽Ｔ内の貯留水を、サイフォン作用により吸い上げてその外へ排水するようにした水槽内清掃具であり、操作性がよく、清掃具内に吸い上げた水槽内の水を汚物と共に水槽外へ連続して排出することができ、吸上パイプや導水パイプに汚物が引っ掛かったり、詰まったりすることがない。【解決手段】  吸上パイプＡと、吸上パイプＡの下流端に接続される可撓性の導水パイプＢと、導水パイプＢの途中にスライド可能に設けられており、その導水パイプＢの水路を、無段に絞りかつ開閉し得る水路調節具Ｃとよりなる。【選択図】      図１
2008194000.tif 000002
【特許請求の範囲】
【請求項１】
水槽（Ｔ）内の貯留水を、サイフォン作用により吸い上げて水槽（Ｔ）の外へ排水するようにした、水槽内清掃具であって、
直状の本体部分（１）と、この本体部分（１）の一端に連通接続されるく字状の把手部分（２）とよりなる吸上パイプ（Ａ）と、
前記吸上パイプ（Ａ）の把手部分（２）の下流端に接続される可撓性の導水パイプ（Ｂ）と、
前記導水パイプ（Ｂ）の途中にスライド可能に設けられており、その導水パイプ（Ｂ）の水路を、無段に絞りかつ開閉し得る水路調節具（Ｃ）と、
よりなることを特徴とする、水槽内清掃具。
【請求項２】
前記水路調節具（Ｃ）は、前記導水パイプ（Ｂ）がスライド可能に挿通されるハウジング（１０）と、このハウジング（１０）に回動可能に設けられるレバー（２０）と、このレバー（２０）に転動自在かつ摺動可能に支持されていて、その外周面が前記導水パイプ（Ｂ）に接触される調節ローラ（３０）とを備え、
前記調節ローラ（３０）を導水パイプ（Ｂ）に向けて押圧しつつ前記レバー（２０）に沿って転動させることにより、前記導水パイプ（Ｂ）の水路を無段に絞り、かつ開閉できるようにしたことを特徴とする、前記請求項１記載の水槽内清掃具。
【発明の詳細な説明】
【技術分野】
【０００１】
本発明は、金魚、熱帯魚、海水魚等の観賞魚の飼育、育成に使用される水槽内の貯留水、特にその底部の汚れた貯留水を汚物と共に吸い上げて排水できるようにした、水槽内清掃具に関する。
【背景技術】
【０００２】
一般に、水槽内で金魚、熱帯魚、海水魚等観賞魚の飼育、育成するには、水槽内の貯留水を常に清浄化しておく必要があり、従来では、水槽に、エアポンプ、水中ポンプなどのポンプを備えた濾過装置を設け、そのポンプの駆動により水槽内の貯留水をその濾過装置内に強制循環させて浄化することが行われるが、かかる浄化手段でけでは、観賞魚を飼育、育成するに必要十分な水質が得られないため、従来から水槽内の水替えを定期的に行う必要があり、かかる水替え手段として、たとえば、後記特許文献１に開示されるものが知られている。
【特許文献１】特開２０００−２０９９７８号公報
【発明の開示】
【発明が解決しようとする課題】
【０００３】
ところで、前記特許文献１に開示されるものは、吸上パイプＰと、これに接続される可撓性に導水パイプ１７と、吸上パイプＰ内に設けられて吸上パイプＰから導水パイプ１７への水の流れを許容する第１および第２の一方向弁Ｖ1 ，Ｖ2 とを備え、水槽Ｔ内の水をサイフォン作用を利用して水槽Ｔの外へ排水するようにしている。
【０００４】
ところが、このものでは、吸上パイプ内に複数の一方向弁が設けられることから、吸上パイプ内を流れる水に混入する、糞、残餌、水草片などの汚物が、前記一方向弁に付着して、その作動不良を起こすことがあるという問題があり、また、このものでは、サイフォン作用により水の吸上作用を成立させるために、水槽内に進入させた吸上パイプの長手方向の往復作動を、複数回繰り返す必要があり、その操作が面倒であるばかりでなく多少の経験が必要であるという他の問題もある。
【０００５】
本発明はかかる事情に鑑みてなされたもので、前記従来の問題を解決した、新規な水槽内清掃具を提供することを目的とするものである。
【課題を解決するための手段】
【０００６】
前記目的達成のため、本請求項１の発明は、水槽内の貯留水を、サイフォン作用により吸い上げて水槽の外へ排水するようにした、水槽内清掃具であって、
直状の本体部分と、この本体部分の一端に連通接続されるく字状の把手部分とよりなる吸上パイプと、
前記吸上パイプの把手部分の下流端に接続される可撓性の導水パイプと、
前記導水パイプの途中にスライド可能に設けられており、その導水パイプの水路を、無段に絞りかつ開閉し得る水路調節具とよりなることを特徴とする、水槽内清掃具。
【０００７】
さらに、前記目的達成のため、本請求項２の発明は、前記請求項１のものにおいて、前記水路調節具は、前記導水パイプがスライド可能に挿通されるハウジングと、このハウジングに回動可能に設けられるレバーと、このレバーに転動自在かつ摺動可能に支持されていて、その外周面が前記導水パイプに接触される調節ローラとを備え、
前記調節ローラを導水パイプに向けて押圧しつつ前記レバーに沿って転動させることにより、前記導水パイプの水路を無段に絞り、かつ開閉できるようにしたことを特徴としている。
【発明の効果】
【０００８】
前記請求項各項の発明によれば、水槽内の貯留水を、サイフォン作用を利用して吸い上げて排出する水槽内清掃具において、水槽内の貯留水の排出操作がきわめて容易であり、誰にでも簡単に排水作業を行うことができ、また、水槽内の貯留水を吸い上げる吸上パイプおよびこれに接続される導水パイプ内に、水と共に吸い上げられる残餌、糞などの汚物が滞留することなく、常に円滑、確実にに水の吸上作用を連続的に継続することができ、また、粗い汚物を捕捉するためのストレーナなどが不要である。
【発明を実施するための最良の形態】
【０００９】
以下、本発明の実施の形態を、添付図面に示した本発明の実施例に基づいて説明する。      
【００１０】
添付図面は、本発明の一実施例を示すものであり、図１は、水槽内清掃具の全体側面図、図２は、図１の２矢視仮想線囲い部分の拡大断面図、図３は、図１の３矢視仮想線囲い部分（導水パイプ「開」時）の拡大斜視図、図４は、図３の４−４線に沿う断面図、図５は、図４の５−５線に沿う断面図、図６は、導水パイプ「閉」時の図４と同じ断面図、図７は、図６の７−７線に沿う断面図、図８〜１２は、水槽内清掃具の作用図である。
【００１１】
本発明の水槽内清掃具は、吸上パイプＡ、導水パイプＢおよび水路調節具Ｃとより構成される。
【００１２】
図１，２において、清掃具の主体部をなす吸上パイプＡは、透明な硬質の合成樹脂材により構成されて、水槽Ｔの外から該水槽Ｔの貯留水内に浸漬可能な長さに形成されると共に先端が開放された真っ直ぐな円筒状の本体部分１と、その基端、すなわち下流端に抜差自在に水密に接続されるエルボ状の把手部分２とよりなり、この把手部分２は、エルボパイプ２ａと直状パイプ２ｂとを抜差自在に水密に接続して構成され、エルボパイプ２ａの中間部はオペレータ−が握り易いように鈍角に屈曲されている。直状パイプ２ｂの内端には、エルボパイプ２Ａ内に進入する小径部２ｃが一体に形成されており、この小径部２ｃの内周面に接続パイプ３をもって導水パイプＢの内端、すなわち上流端が抜差可能に接続されている。接続パイプ３の外周面には先細りの雄テーパ面が形成され、一方、前記小径部３ｃの内周面には、末拡がりの雌テーパ面が形成されており、それらのテーパ面間に後述する可撓性導水パイプＢの上流端を挟持接続することにより、その導水パイプＢが吸上パイプＡから抜け出さないようにされている。
【００１３】
前記導水パイプＢは、塩化ビニールパイプなどよりなる可撓性で弾性のある透明なパイプより構成されており、その長さは少なくとも前記吸上パイプＡよりも長い。
【００１４】
前記導水パイプＢの途中には、その長手方向にスライド可能に水路調節具Ｃが設けられている。この水路調節具Ｃは、導水パイプＢ内の水路を無段に絞り、また該水路を開閉できるようにされており、以下に、この水路調節具Ｃの構造を図３〜５を参照して説明する。
【００１５】
水路調節具Ｃはハウジング１０と、このハウジング１０に揺動可能に軸支されるレバー２０と、このレバー２０にスライドかつ回転自在に設けれる調節ローラ３０とを備えている。
【００１６】
前記ハウジング１０は、オペレータ−が握り易いように、透明あるいは半透明の硬質合成樹脂材により細長い中空の角筒状に形成され、このハウジング１０は、その上面１１と長手方向の後端面１２が開放されている。このハウジング１０の下部には、前記導水パイプＢが、その前端壁１３に開口して挿通孔１５を貫通してその長手方向にスライド自在に挿通されている。ハウジング１０の側壁１４の後部両側には、長孔よりなるヒンジ孔１６が開口されており、このヒンジ孔１６に、後述のレバー２０の基端に一体に設けたヒンジピン２１が回動自在かつ前後に移動可能に嵌合支持されている。前記レバー２０は前後方向に長いフォーク状の形成されてハウジング１０内に収容され、そのハウジング１０の開口上面１１を通してヒンジピン２１まわりに揺動可能である。またレバー２０の両側には、その長手方向の略全長にわたり長孔２２が穿設されており、その長孔２２に調節ローラ３０のローラ軸３１が回転かつ摺動可能に支持されている。この調節ローラ３０は、ハウジング１０内に収容され、その一部はハウジング１０の開口上面１１を通してその外部に露出しており、その外周面にはきざみ３２が刻設されており、後述のように、この水路調節具Ｃを把持したオペレータが指先で回転操作し易いようにしてある。図４に示すように、調節ローラ３０の刻みのある外周面は、レバー２０の重みでハウジング１０に挿通されている導水パイプＢの外周面上に接触されている。この状態では、導水パイプＢは図４，５に示すように「開」の状態にある。また、レバー２０を導水パイプの弾発力に抗して下方に押圧、回動すれば、図６，７に示すように、調節ローラ３０は、可撓性の導水パイプＢの途中を押しつぶして、導水パイプＢを絞ることができ、その水路を無段に絞り、また閉じることができる。
【００１７】
また、図４，６に示すようにレバー２０の先端にはストッパー片２４が突設され、一方、レバー２０の先端に対応するハウジング１０の前端壁１３の内面には、階段状の段部１７が形成されている。図４に示すように、レバー２０が後退位置（ヒンジピン２１がヒンジ孔１６の後端縁に係合）にあるとき、ストッパー片１４は、前記段部１７の上段面１７ａに係合してレバー２０を上方位置（自由位置）に保持して導水パイプＢの水路を「開」状態を保持する。調節ローラ３０を指先にて下方に押圧しつつ長孔２２に沿って転動させることにより、図４鎖線に示すように、導水パイプＢを無段に絞ることができ、その水路断面積を無段に調節することができ、そして図６，７に示すように、調節ローラＣを最前端位置に転動、保持させたとき、レバー２０が最も下降して、導水パイプＢの途中は完全につぶされて、水路を「閉」とすることができる。
【００１８】
また、図６に示すように、レバー２０を前進位置（ヒンジピン２１がヒンジ孔１６の前端縁に係合）に移動させたとき、ストッパー片２４は、前記段部１７の下段面１７ｂに係合してレバー２０が下方位置に保持され、レバーＢへの押圧力を解除しても導水パイプＢの水路を「閉」状態を保持する。
【００１９】
図４，６に示すように、ハウジングの底１０の底壁の前部内面には、突条１８が設けられ、この突条１８は、調節ローラ３０による導水パイプＢの「閉」状態を確実に保持できるようにしている。
【００２０】
つぎに、図８〜１２を参照して、前記清掃具を用いて水槽Ｔ内、特にその底部の汚れた水を吸い上げて排水する手順について説明する。
【００２１】
(1) まず、図８に示すように、導水パイプＢを接続した吸上パイプＡを逆さ、すなわち、その開口先端を上にして水槽Ｔ内の貯留水内に浸漬する。吸上パイプＡに接続される導水パイプＢは、その一部が水路調節具Ｃと共に水槽Ｔに浸漬される。導水パイプＢは、水路調節具Ｃよりも、下流側を水槽Ｔの上縁を迂回させて水槽Ｔの外に延長させる。ここで、水路調節具Ｃを「開」（図４，５）状態とすれば、水槽Ｔ内の水は、吸上パイプＡの開口先端より、その吸上パイプＡ内に流入し、そこから導水パイＢ内を通り、水路調節具Ｃを経て導水パイプＢ内に流入する。この場合、導水パイプＢ内には、水槽Ｔ内の貯留水の水面レベルまで水が流入する。
【００２２】
(2) つぎに、図９に示すように、水路調節具Ｃを「閉」状態（図６）状態とすれば、吸上パイプＡと、水路調節具Ｃよりも上流側の導水パイプＢ内の水は、流れることなくそこに貯留される。
【００２３】
(3) つぎに、図１０に示すように、吸上パイプＡを反転してその開口先端を下向きにすると共に導水パイプＢを水路調節具Ｃと共に水槽Ｔの外に取り出す。このとき、吸上パイプＡおよび水路調節具Ｃよりも上流側の導水パイプＢ内は、水が充填状態に維持されたままになる。
【００２４】
(4) つぎに、図１１に示すように、導水パイプＢの開口自由端をバケツなどの回収槽４０内に臨ませてから、水路調節具Ｃを「開」状態に操作すれば、水槽Ｔ内の水は、サイフォン作用により、吸上パイプＡより導水パイプＢを通って水槽Ｔ外に連続的に排水することができ、回収槽４０に貯留することができる。
【００２５】
図１１において、符号４１で示すものは、導水パイプＢの自由端近くを回収槽４０に保持するための保持具である。
【００２６】
(5) 前述のサイフォンによる水の排出作用の成立後は、図１２に示すように、吸上パイプＡの開放自由端を水槽Ｔ内底部の砂利内に進入させると、残餌、糞などの汚物を含む汚水を吸上パイプＡおよび導水パイプＢを通して連続的に吸上排出することができる。そして、水路調節具Ｃの調節ローラ３０を転動させつつ長孔２２に沿って移動調節することにより、導水パイプＢの水路を絞り調節することができ、吸上パイプＡ内を吸い上げられる水の勢い、すなわち水の吸上量を無段に調節することができ、たとえば、吸上パイプＡ内を吸い上げられる水の勢いが強く、水と共に砂利を吸い上げてしまうようなときは、水路調節具Ｃにより導水パイプＢの絞り量を増大することにより、これを解消することができ、また吸上パイプＡ内を吸い上げられる水の吸上力が弱くなったときは、絞り量を減少させることにより、これを解消することができる。
【００２７】
ところで、この実施例のものでは、吸上パイプＡおよび導水パイプＢ内には、前記特許文献１のもののような、一方向弁などが存在しないので、水の排水作用は、常に円滑に連続的に行われて、枯葉などの粗い汚物が混入していても何ら支障なく排水作業を円滑に継続することができ、粗い汚物を分離除去するためのストレーナなどを別設する必要がない。
【００２８】
以上、本発明の実施例について説明したが、本発明はその実施例に限定されることなく、本発明の範囲内で種々の実施例が可能である。
【図面の簡単な説明】
【００２９】
【図１】水槽内清掃具の全体側面図
【図２】図１の２矢視仮想線囲い部分の拡大断面図
【図３】図１の３矢視仮想線囲い部分（導水パイプ「開」時）の拡大斜視図
【図４】図３の４−４線に沿う断面図
【図５】図４の５−５線に沿う断面図
【図６】導水パイプ「閉」時の図４と同じ断面図
【図７】図６の７−７線に沿う断面図
【図８】水槽内清掃具の作用図
【図９】水槽内清掃具の作用図
【図１０】水槽内清掃具の作用図
【図１１】水槽内清掃具の作用図
【図１２】水槽内清掃具の作用図
【符号の説明】
【００３０】
１・・・・・・・・・・・本体部分
２・・・・・・・・・・・把手部分
１０・・・・・・・・・・・ハウジング
２０・・・・・・・・・・・レバー
３０・・・・・・・・・・・調節ローラ
Ａ・・・・・・・・・・・吸上パイプ
Ｂ・・・・・・・・・・・導水パイプ
Ｃ・・・・・・・・・・・水路調節具
Ｔ・・・・・・・・・・・水槽
【図１】
2008194000.tif 000003
【図２】
2008194000.tif 000004
【図３】
2008194000.tif 000005
【図４】
2008194000.tif 000006
【図５】
2008194000.tif 000007
【図６】
2008194000.tif 000008
【図７】
2008194000.tif 000009
【図８】
2008194000.tif 000010
【図９】
2008194000.tif 000011
【図１０】
2008194000.tif 000012
【図１１】
2008194000.tif 000013
【図１２】
2008194000.tif 000014